(57)【要約】【課題】  少ない出力回数で、かつ容易で、視覚的に、ユーザが所望する最適な画像の色値を抽出する。【解決手段】  画像処理部４は、オリジナルの画像に対して、印刷部６におけるトナーの各色（Ｃｙ、Ｍｇ、Ｙｅ、ＢＫ）の色値を上下した場合や、どちらか一方（例えば、色値を下げたものだけ）の複数のサンプル色値を色毎に生成し、それぞれの画像を縮小したものを、オリジナルの画像とともに配列して印刷部６により出力する。ユーザは、印刷されたサンプル画像を確認し、所望する色差のサンプル画像の番号を選択する。制御部７は、入力部２の印刷決定ボタンが押下されると、印刷部６により、選択された番号の色値で画像を印刷出力する。【選択図】    図１
2007028392.tif 000002
【特許請求の範囲】
【請求項１】
元画像を記憶する記憶手段と、
前記記憶手段に記憶されている元画像の色値を変えた複数のサンプル画像を生成するサンプル画像生成手段と、
前記サンプル画像生成手段により生成された複数のサンプル画像を縮小する縮小手段と、
前記縮小手段により縮小された複数のサンプル画像と前記元画像とを出力する出力手段と
を具備することを特徴とする画像処理装置。
【請求項２】
前記複数のサンプル画像の中からいずれかを選択する選択手段と、
前記選択手段により選択されたサンプル画像の色値を保存する保存手段と
を具備することを特徴とする請求項１記載の画像処理装置。
【請求項３】
前記選択手段により選択したサンプル画像の色値で元画像を出力することを指示する指示手段と、
前記指示手段により出力が指示されると、前記選択手段により選択されたサンプル画像の色値で前記元画像を、前記出力手段により出力させる出力制御手段と
を具備することを特徴とする請求項２記載の画像処理装置。
【請求項４】
前記選択手段は、前記複数のサンプル画像の中から少なくとも２つのサンプル画像を選択し、
前記サンプル画像生成手段は、前記選択手段により少なくとも２つのサンプル画像が選択されると、選択された２つのサンプル画像の中間的な色値のサンプル画像を生成することを特徴とする請求項２記載の画像処理装置。
【請求項５】
元画像を記憶する記憶ステップと、
前記記憶されている元画像の色値を変えた複数のサンプル画像を生成するサンプル画像生成ステップと、
前記生成された複数のサンプル画像を縮小する縮小ステップと、
前記縮小された複数のサンプル画像と前記元画像とを出力する出力ステップと
をコンピュータに実行させることを特徴とする画像処理プログラム。
【発明の詳細な説明】
【技術分野】
【０００１】
本発明は、色値の調整を容易に行うことができる画像処理装置および画像処理プログラムに関する。
【背景技術】
【０００２】
従来より、コンピュータ上の画像を印刷出力する場合、画像出力機器の初期設定や経時劣化、インクシート、トナー、受像紙の取り替えに伴うグレイバランスのずれにより、実際の色値（または見た目の色値）と異なる色値で印刷出力されるのを防ぐために、言い換えると、より実際の色値（または見た目の色値）に近い状態で出力するために、画像の色値を修正する技術が知られている。このような従来技術としては、例えば、ユーザが計測機器や画像入力機器を使用せず簡単な目測によってしかもユーザの望む精度で調整するべく、パッチの色を補正して色値を補正する技術が提案されている（例えば、特許文献１参照）。
【特許文献１】特開２００２−４４４７２号公報
【発明の開示】
【発明が解決しようとする課題】
【０００３】
しかしながら、特許文献１の技術にあっては、実際の画像がどのようになるかを予測できない。すなわち、どのくらいの色値に設定したら、どのような画像が出力されるかが分からないため、試行錯誤を繰り返す必要があり、所望の画像を得ることが難しいという問題がある。また、所望する色値の画像を得るまでに何度も印刷出力しなければならず、多量の用紙を消費してしまい、環境にも悪影響を与えるという問題がある。
【０００４】
本発明は、このような事情に鑑みてなされたもので、少ない出力回数で、かつ容易で、視覚的に、ユーザが所望する最適な画像の色値を抽出することができる画像処理装置および画像処理プログラムを提供することを目的とする。
【課題を解決するための手段】
【０００５】
上述した課題を解決するために、本発明は、元画像を記憶する記憶手段と、前記記憶手段に記憶されている元画像の色値を変えた複数のサンプル画像を生成するサンプル画像生成手段と、前記サンプル画像生成手段により生成された複数のサンプル画像を縮小する縮小手段と、前記縮小手段により縮小された複数のサンプル画像と前記元画像とを出力する出力手段とを具備することを特徴とする。
【０００６】
本発明は、上記の発明において、前記複数のサンプル画像の中からいずれかを選択する選択手段と、前記選択手段により選択されたサンプル画像の色値を保存する保存手段とを具備することを特徴とする。
【０００７】
本発明は、上記の発明において、前記選択手段により選択したサンプル画像の色値で元画像を出力することを指示する指示手段と、前記指示手段により出力が指示されると、前記選択手段により選択されたサンプル画像の色値で前記元画像を、前記出力手段により出力させる出力制御手段とを具備することを特徴とする。
【０００８】
本発明は、上記の発明において、前記選択手段は、前記複数のサンプル画像の中から少なくとも２つのサンプル画像を選択し、前記サンプル画像生成手段は、前記選択手段により少なくとも２つのサンプル画像が選択されると、選択された２つのサンプル画像の中間的な色値のサンプル画像を生成することを特徴とする。
【０００９】
また、上述した課題を解決するために、本発明は、元画像を記憶する記憶ステップと、前記記憶されている元画像の色値を変えた複数のサンプル画像を生成するサンプル画像生成ステップと、前記生成された複数のサンプル画像を縮小する縮小ステップと、前記縮小された複数のサンプル画像と前記元画像とを出力する出力ステップとをコンピュータに実行させることを特徴とする。
【発明の効果】
【００１０】
この発明によれば、サンプル画像生成手段により、記憶手段に記憶されている元画像の色値を変えた複数のサンプル画像を生成し、縮小手段により、複数のサンプル画像を縮小し、出力手段により、縮小された複数のサンプル画像と前記元画像とを出力する。したがって、少ない出力回数で、かつ容易で、視覚的に、ユーザが所望する最適な画像の色値を抽出することができるという効果が得られる。
【００１１】
また、本発明によれば、保存手段により、選択手段により選択されたサンプル画像の色値を保存する。したがって、一旦選択した色値で他の画像を補正することができ、作業を簡略化することができるという効果が得られる。
【００１２】
また、本発明によれば、指示手段により、選択手段により選択したサンプル画像の色値で元画像を出力することが指示されると、出力制御手段により、選択手段により選択されたサンプル画像の色値で元画像を出力手段により出力させる。したがって、少ない出力回数で、かつ容易で、視覚的に、ユーザが所望する最適な画像の色値を抽出することができ、多量の用紙を消費することなく、所望する色値の画像を得ることができるという効果が得られる。
【００１３】
また、この発明によれば、選択手段により複数のサンプル画像の中から少なくとも２つのサンプル画像が選択されると、サンプル画像生成手段により、選択された２つのサンプル画像の中間的な色値のサンプル画像を生成する。したがって、より細かな微調整を行うことができるという効果が得られる。
【００１４】
また、この発明によれば、元画像を記憶する記憶ステップと、前記記憶されている元画像の色値を変えた複数のサンプル画像を生成するサンプル画像生成ステップと、前記生成された複数のサンプル画像を縮小する縮小ステップと、前記縮小された複数のサンプル画像と前記元画像とを出力する出力ステップとをコンピュータに実行させる。したがって、少ない出力回数で、かつ容易で、視覚的に、ユーザが所望する最適な画像の色値を抽出することができるという効果が得られる。
【発明を実施するための最良の形態】
【００１５】
以下、本発明の一実施形態による画像処理装置を、図面を参照して説明する。
図１は、本発明の実施形態による画像処理装置の構成を示すブロック図である。画像処理装置１は、入力部２、メモリ３、画像処理部４、表示部５、印刷部６および制御部７からなる。入力部２は、タッチパネルや複数のキーからなり、ユーザからの指示を入力する。メモリ３は、画像データや各種パラメータ、プログラムなどを格納する。画像処理部４は、画像データの各色の色値を変えたり、色値を変えたサンプル画像を生成したりする。表示部５は、画像処理装置１の動作状況やユーザに対するメッセージなどを表示する。印刷部６は、カラー（Ｃｙ：シアン、Ｍｇ：マゼンタ、Ｙｅ：イエロー、ＢＫ：ブラック）またはモノクロで画像データを用紙に印刷する。制御部７は、所定のプログラムに従って各部を制御する。
【００１６】
次に、上述した本実施形態の動作について説明する。ここで、図２は、本実施形態による画像処理装置１の動作を説明するためのフローチャートである。
まず、制御部７は、色値補正を行うことが選択されたか否かを判断する（ステップＳ１０）。そして、色値補正を行わないことが選択された場合には、当該処理を終了して通常の処理を行う。一方、色値補正を行うことが選択された場合には、対象となる画像データをＲＧＢ形式でメモリ３に格納し（ステップＳ１２）、画像処理部４により、その画像データをオリジナルとして、印刷部６におけるトナーの各色（Ｃｙ、Ｍｇ、Ｙｅ、ＢＫ）の色値を上下した場合や、どちらか一方（例えば、色値を下げたものだけ）の複数のサンプル色値を色毎に生成する（ステップＳ１４）。そして、それぞれの画像を縮小し（ステップＳ１６）、オリジナルの画像とともに配列して印刷部６により出力する（ステップＳ１８）。
【００１７】
ここで、図３は、印刷出力の一例を示す模式図である。図示するように、オリジナルの画像と、それぞれの色（Ｃｙ、Ｍｇ、Ｙｅ、ＢＫ）毎に色値を変えたサンプルＳａｍｐｌｅ１、Ｓａｍｐｌｅ２、Ｓａｍｐｌｅ３が印刷される。
【００１８】
次に、入力部２からユーザに所望する色値の番号を入力させ（ステップＳ２０）、入力された番号の周辺色値でサンプルを出力することが指示されたか否かを判断する（ステップＳ２２）。そして、サンプル出力が指示された場合には、ステップＳ１４に戻り、入力された番号の周辺色値でサンプルを出力すべく、入力された番号の色値を中心として、各色の色値を変更して複数のサンプル色値を生成し、それぞれの画像を縮小したものを、オリジナルの画像を中心に配列して再び出力する。
【００１９】
一方、サンプル出力が指示されなかった場合には、指定された番号の色値を保存することが指示されたか否かを判断し（ステップＳ２４）、色値の保存が指示された場合には、指定された番号の色値を保存する（ステップＳ２６）。該保存された色値は、後で読み出すことができるようになっており、上述したサンプルの出力・選択を行うことなく、他の画像を該色値で補正して直接出力することが可能となっている。これにより、作業を簡略化することができる。一方、色値の保存が指示されなかった場合には、保存しない。
【００２０】
次に、制御部７は、入力部２の印刷決定ボタンが押下されたか否かを判断し（ステップＳ２８）、印刷決定ボタンが押下されない場合には、そのまま当該処理を終了して通常の処理へ戻る。一方、印刷決定ボタンが押下された場合には、印刷部４により、選択された番号の色値で画像を印刷出力する（ステップＳ３０）。
【００２１】
なお、所望する色値の番号を入力する際には、複数の色値のサンプルを選択可能としてもよい。また、同一色の中間値的な色値が見たいときは、その色のサンプルを２つ選択することで、図４に示すように、Ｃｙ＿Ｓａｍｐｌｅ１とＣｙ＿Ｓａｍｐｌｅ２とから、実線で示す中間値を算出して、微調整もできるようにしてもよい。また、サンプル画像よりも色値を何倍変動させたいかなどの処理も可能としてもよい。
【００２２】
なお、画像がモノクロの場合には、トナーの各色（Ｃｙ、Ｍｇ、Ｙｅ、ＢＫ）に対する処理がないため、色値を表示できるサンプルの幅を広げるようにしてもよい。
【００２３】
次に、画像処理部４での色値の変える方法について説明する。
例えば、図６に示すように、オリジナルの画像データにおいて、１、２、３、４、５、６、７のガンマ値（％）が、それぞれ１０、２０、４５、７０、８０、８５、９０とする。このとき、図５（ａ）に示すように、例えば、「１０」の値を基準として他の点の色差を求めておく。この場合、図５（ｂ）に示すように、０、３、６、７、８、９、１２のそれぞれの値が、１、２、３、４、５、６、７となる。この場合、図７に示すように、各点の色差について多項式：ｙ＝−０．００６１ｘ３＋０．１２６６ｘ２−０．１４７８ｘ＋１．０９５を得る。したがって、オリジナルの「１」のデータを色差「３」にしたいときは、上記多項式にｘ＝３を代入することで、図５（ｃ）に示すようにｙ＝１．６２６３となり、図８に示すように、１．６のところのガンマ値をもってくればよい（斜線の丸を黒丸へ移動）。
【００２４】
まず、印刷部６の各トナー（Ｃｙ、Ｍｇ、Ｙｅ、ＢＫ）のガンマ曲線（階調曲線）から、図９（ａ）に示すように、色値（％）が１５、２７、３８、５０、６７、８４、１００のポイントからなるデータのＬａｂ値を予め測色しておき、そこから色差の変動を予測する近似式を定義する。近似式の係数は、重回帰分析を用いて算出し、それぞれの色の色値毎に式を用意しておく。
【００２５】
Ｃｙ、Ｍｇ、Ｙｅ、ＢＫ毎に、
（１５％）：Ｙ＝ａ１Ｘ３＋ｂ１Ｘ２＋ｃ１Ｘ＋ｅ１
（２７％）：Ｙ＝ａ２Ｘ３＋ｂ２Ｘ２＋ｃ２Ｘ＋ｅ２
（３８％）：Ｙ＝ａ３Ｘ３＋ｂ３Ｘ２＋ｃ３Ｘ＋ｅ３
（５０％）：Ｙ＝ａ４Ｘ３＋ｂ４Ｘ２＋ｃ４Ｘ＋ｅ４
（６７％）：Ｙ＝ａ５Ｘ３＋ｂ５Ｘ２＋ｃ５Ｘ＋ｅ５
（８４％）：Ｙ＝ａ６Ｘ３＋ｂ６Ｘ２＋ｃ６Ｘ＋ｅ６
（１００％）：Ｙ＝ａ７Ｘ３＋ｂ７Ｘ２＋ｃ７Ｘ＋ｅ７
なお、Ｘは、色差の値であり、Ｙは、階調である。
【００２６】
色差ΔＥ＋３ずらしたガンマの階調の曲線を求める場合は、上記式のＸに「３」を代入し、図９（ｂ）の白丸で示すように、それぞれのポイントの移動すべき階調値を算出する。次に、上記７点から補間計算で、図９（ｃ）に示すように、元のガンマ曲線に対する色差「３」のガンマ曲線を生成する。
【００２７】
ここで、図１０は、印刷部６の各トナー（Ｃｙ、Ｍｇ、Ｙｅ、ＢＫ）において、オリジナルの画像に対して色差「−３」と「＋３」のサンプル画像（１回目）を生成し、それぞれの画像を縮小したものを、オリジナルの画像とともに配列して印刷部６により出力した例である。また、図１１は、上記図１０に示すサンプル画像の中から何れかが選択された場合に、その色差で変更した場合のサンプル画像の出力例（２回目以降）を示している。この場合、１回目に変更した画像に加えて、２回目に変更した画像がオリジナルの画像とともに出力されている。
【００２８】
上述した実施形態によれば、オリジナルの画像に対して、印刷部６におけるトナーの各色（Ｃｙ、Ｍｇ、Ｙｅ、ＢＫ）の色値を上下した場合や、どちらか一方（例えば、色値を下げたものだけ）の複数のサンプル色値を色毎に生成し、それぞれの画像を縮小したものを、オリジナルの画像とともに配列して印刷部６により出力するようにしたので、少ない出力回数で、かつ容易で、視覚的に、ユーザが所望する最適な画像の色値を抽出することができる。ゆえに、多量の用紙を消費することなく、所望する色値の画像を得ることができる。
【００２９】
なお、上述した実施形態においては、上述した画像処理部４、制御部７などによる一連の処理の過程は、プログラムの形式でコンピュータ読み取り可能な記録媒体に記憶されており、このプログラムをコンピュータが読み出して実行することによって、上記処理が行われる。すなわち、画像処理部４、制御部７などにおける、各処理手段、処理部は、ＣＰＵ等の中央演算処理装置がＲＯＭやＲＡＭ等の主記憶装置に上記プログラムを読み出して、情報の加工・演算処理を実行することにより、実現されるものである。
【００３０】
ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【図面の簡単な説明】
【００３１】
【図１】本発明の実施形態による画像処理装置の構成を示すブロック図である。
【図２】本実施形態による画像処理装置１の動作を説明するためのフローチャートである。
【図３】印刷出力の一例を示す模式図である。
【図４】同一色の中間値的な色値の画像を生成する際の中間値の算出方法を説明するための概念図である。
【図５】本実施形態による色値を変える一方法例を説明するための概念図である。
【図６】本実施形態による色値を変える一方法例におけるオリジナルの画像のガンマ値を示す概念図である。
【図７】本実施形態による色値を変える一方法例における色差予測を示す概念図である。
【図８】本実施形態による色値を変える一方法例における変更後のオリジナルの画像のガンマ値を示す概念図である。
【図９】ガンマ曲線（階調曲線）を変える一方法例を説明するための概念図である。
【図１０】オリジナルの画像に対して色差「−３」と「＋３」のサンプル画像（１回目）を出力した例を示す模式図である。
【図１１】２回目以降におけるサンプル画像を出力した例を示す模式図である。
【符号の説明】
【００３２】
１  画像処理装置
２  入力部（選択手段、指示手段）
３  メモリ（記憶手段、保存手段）
４  画像処理部（サンプル画像生成手段、縮小手段）
５  表示部
６  印刷部（出力手段）
７  制御部（出力制御手段）
【図１】
2007028392.tif 000003
【図２】
2007028392.tif 000004
【図３】
2007028392.tif 000005
【図４】
2007028392.tif 000006
【図５】
2007028392.tif 000007
【図６】
2007028392.tif 000008
【図７】
2007028392.tif 000009
【図８】
2007028392.tif 000010
【図９】
2007028392.tif 000011
【図１０】
2007028392.tif 000012
【図１１】
2007028392.tif 000013